(57)【要約】      （修正有）【課題】装飾部材をハンガーの首元周辺部に取り付けて、ハンガー自体の装飾的価値を増進せしめると共に、衣服を引き立たせると共にブランドイメージを向上させ、宣伝機能を奏させることができるハンガーを提供する。【解決手段】ハンガー３は、ハンガー本体４とラックなどへ係止する際に使用するフック５と装飾部材６によって構成される。ハンガー３は主にジャケットやコートなどを掛ける大型のハンガーであってハンガー中央部に形成したフック挿通孔にフック５を挿通後、フック下端部５ａに装飾部材６を取り付けている。フック５は回動自在、上下動自在にハンガー本体に取り付けるため、フック下端に取り付けた装飾部材がフックの抜け落ち防止としてのストッパの機能も有する。装飾部材の取り付けは、装飾部材６に形成した孔にフック下端を嵌合し、接着剤などで接着する方法、或いはねじ山を切ってねじ込むなどの方法を採用することができる。【選択図】図２
0003174988.tif 000002
【実用新案登録請求の範囲】
【請求項１】
ハンガーの首元周辺部に装飾部材を取り付けたことを特徴とするハンガー。
【請求項２】
装飾部材を着脱自在に取り付けたことを特徴とする請求項１記載のハンガー。
【請求項３】
装飾品係止機能を有する装飾部材を取り付けたことを特徴とする請求項１又は２記載のハンガー。
【考案の詳細な説明】
【技術分野】
【０００１】
本考案は衣料用ハンガーとその装飾品に関する。より詳しくは、販売店やメーカーのイメージを向上させ、インテリアとしても機能する装飾性の高いハンガーに関するものである。
【背景技術】
【０００２】
従来のハンガーは図１に示す通りハンガー本体１の上部中央１ａに形成された挿通孔１ｂに係止部材としてのフック２を取り付け、フック２の上下動を機能させるためにフック２の下端部にストッパとしての機能を持たせている。ここでは、フック下端２ａを屈曲させて挿通孔１ｂの内径よりも大きくしフックの抜け落ちを防止している。
【０００３】
このようにハンガーは、実用品としての機能が重視されるため平凡な形状が多く、装飾的な面での開発は行われてこなかった。また、ハンガー本体に装飾を施しても衣服を掛けた状態では露出部分が減るため装飾の対象となることが少なかった。
一方、ハンガーの付加価値を高めるためにハンガー本体に装飾品を嵌めこんで高級な雰囲気を与えたハンガーに関する発明（特許文献１）や、写真収納部を設けたハンガーがある（特許文献２）。
【先行技術文献】
【特許文献】
【０００４】
【特許文献１】特開２００８−２３２８１号公報
【特許文献２】特開平１１−９４２１号公報
【考案の概要】
【考案が解決しようとする課題】
【０００５】
ハンガーは衣服を掛けるという機能性が重視されてきたため、子供用等の特殊な品目以外は、ハンガー自体に装飾が施されることが少なかった。一方、高級衣類にはふさわしいハンガーが要求されるためハンガー本体に高級感を備えさせる必要があったが、合成樹脂材製のハンガーではなく木製のハンガーを使用する程度にとどまっていた。
【０００６】
また、ハンガーが衣服を引き立たせる機能はないと考えられ、ハンガー自体が衣料や店内に与える雰囲気というものにもあまり関心が払われてこなかった。
【０００７】
ところが、衣料用ハンガーのフック下端周辺部は人体の首部近傍に位置するため、衣服を掛けた状態であっても露出しており、むしろ目線の高さになるために想像以上に視野に入るものである。
【０００８】
特許文献１のハンガーはハンガー本体の中央部に宝石や装飾品を嵌め込んでいるが、ハンガーと一体的に形成されているため装飾品等を取り外すことができず、使用者の好み等に合わせて装飾品を取り替えることができない。
【０００９】
特許文献２のハンガーはハンガー本体の中心部に写真収納部を設けたものであるが、誰の衣服であるか等を識別する際には役に立っても、ハンガー自体の装飾的価値を向上させるものではなかった。
【００１０】
そこで、本願ではハンガーの首元周辺に装飾部材を取り付けて、ハンガー自体の装飾的価値を増進せしめると共に、衣服を引き立たせ、ひいてはブランドイメージを向上させる
ことを目的とするのである。
【課題を解決するための手段】
【００１１】
上記課題を解決するために、本願ではハンガー本体の中央部である首元周辺に装飾部材を取り付けるのである。また、装飾部材の取り替えを可能とするハンガーを提供するのである。
【考案の効果】
【００１２】
簡易な構成ながら、ハンガーの装飾性を高めることができる。衣服を掛けた状態でも装飾部材が隠れることがなく、むしろ目線の高さに位置するため目立ち、効率よく装飾的効果を発揮できる。
【００１３】
装飾部材にアクセサリーやスカーフを係止させる機能を持たせたため、ハンガーにジャケットやブラウスなどを掛けると共に、それに合わせた小物類を係止できて衣服とのトータルなコーディネートが可能である。特にブティックなどの店舗ディスプレーに活用できる。
【００１４】
衣服を掛けていない状態でもハンガーがインテリアのような室内装飾としての価値を有する。
【００１５】
装飾部材を簡単に取り替え自在としたため、服の雰囲気や使用者の好み、季節などに合わせてハンガーを模様替えすることができハンガーを使用する楽しみがある。
【００１６】
サイズや、ラインごとに装飾部材を取り替えることで衣服の陳列や管理が容易である。
【００１７】
装飾部材の形状や素材、デザインは多様であるため、使用者の選択自由度が高く所望のイメージを奏することができる。例えば高級ブティックなどでは装飾性の高い部材を使用することで店内に高級なイメージを演出することができ、装飾部材に動物の絵柄を付すことで子供用衣服により適したものとなる。
【００１８】
装飾部材に企業名や商品名などを印刷して明示すると宣伝効果が高い。
【図面の簡単な説明】
【００１９】
【図１】従来のハンガーの正面図。
【図２】フック端部に装飾部材を取り付けたハンガーの正面図。
【図３】装飾部材にアクセサリー等を係止させた状態を示す説明図。
【図４】装飾部材に販売店名を刻印したハンガーの正面図。
【図５】装飾部材を取り替える状態を示す説明図。
【考案を実施するための形態】
【００２０】
次に本考案の最適な実施形態を図面を参照しながら詳説する。
【００２１】
図２が本考案に係るハンガー３の正面図である。ハンガー３は、ハンガー本体４とラックなどへ係止する際に使用するフック５と装飾部材６によって構成される。ハンガー３は主にジャケットやコートなどを掛ける大型のハンガーであってハンガー中央部に形成したフック挿通孔（図示せず）にフック５を挿通後、フック下端部５ａに装飾部材６を取り付けている。フック５は回動自在、上下動自在にハンガー本体に取り付けるため、フック下端に取り付けた装飾部材がフックの抜け落ち防止としてのストッパの機能も有する。
【００２２】
装飾部材の取り付けは、装飾部材６に形成した孔にフック下端を嵌合し、接着剤などで
接着する方法、或いはねじ山を切ってねじ込むなどの方法を採用することができる。
【００２３】
ハンガー本体４の素材はアクリル、ポリエステルなどの合成樹脂が適しており、色彩のバリエーションが豊富で加工も容易である。また、木製ハンガーとすることで高級なイメージを奏することもできる。
【００２４】
ハンガー本体の製造方法はプラスチック等を手作業で削って一品、一品の価値を高めることもできるし、型抜き形成して量産化しコストダウンを図ることも可能である。
【００２５】
装飾部材６は、ここでは球体であって表面に模様が施されている。球状を呈する装飾部材は平面的なハンガーや衣服に奥行きを与えると共に、フックの回動とともに装飾部材も回動して異なる模様が現れ、ハンガーを使用する楽しみが増す。
【００２６】
球体を着色する、或いは、透明、半透明にして球体内部に装飾物を内装するなど装飾部材のバリエーションは無限である。
【００２７】
図３に示したハンガー７は前述のハンガー同様、ジャケット用の大型のものであるが、ハンガー本体８に挿通したフック９の下端に取り付けた装飾部材１０の形状に特徴を有する。
【００２８】
装飾部材１０は、正面視において略錨型を有する厚みのあるアクリル素材から成り両側縁上方に設けた切欠き部１０ａにアクセサリー１１を係架し中央に穿設した孔１０ｂに挿通させて係止できるのである。
【００２９】
装飾部材１０の大きさや、係止孔１０ｂの内径は係止する目的物によって適宜変更容易である。スカーフやネクタイなどの場合は、やや大きめな装飾部材が適している。
【００３０】
ハンガー本体８にジャケットやコートを掛けた後、それに合わせてアクセサリやスカーフを装飾部材に係止させるとファッションをトータルにコーディネートすることが容易となる。また、あらかじめ服とアクセサリー等の小物をセットしてハンガーに掛けておくことで、出かける前の準備に手間取ることがない。
【００３１】
次に、装飾部材に洋服のメーカー名、販売店名などを明示した実施例について説明する。
【００３２】
図４はブラウスなどの比較的薄物用として使用されるハンガー１２の正面図である。
【００３３】
ハンガー１２の中央上方にフック１３が回動自在に取り付けられている。一方、装飾部材１４は、装飾部材１４の上方に取り付けた棒状取り付け具１４ａによって、ハンガー１２の中央下方に取り付けられている。
厚みのあるメダル形状をした装飾部材１４の正面には企業名等が印刷されている。
【００３４】
ハンガーは使用者が毎日しかも一年を通じて使用する実用品であるうえ、フック下端部は衣服を掛けた状態でも視認することができ、目線の高さに位置する。即ち、装飾部材に企業名やブランド名、ブティック名などを表示すると目を引き高い宣伝効果を奏するのである。
【００３５】
本願に係るハンガーは、装飾部材が取り替え自在であるという特徴も有する。図５は取り替え状態を示す説明図である。図４で示したハンガー１２は、ハンガー本体１５の中央部に設けた挿通孔１５ａにフック１３を挿入し、ねじ山を切ったフック下端１３にねじ溝
を設けた装飾部材１４をねじ込み取り付けてフック１３の抜け落ち防止を図っている。ここではフック１３と装飾部材１４は、接着剤等で固着されておらず取り外しが可能である。そこで装飾部材１４を取り外し、同様に内部にねじ溝を有する他の装飾部材１６と取り替えるのである。
【００３６】
図５で示すように動物やキャラクターの正面を向いた姿などを現すと子供用ハンガーとして最適である。このように装飾部材を複数用意することで季節や好みに合わせて随時装飾部材を取り替えてハンガーのデザインを変更することができてハンガーを使用する楽しみが増し、また、装飾部材によって衣類や使用者の分別を行うこともできるのである。
【００３７】
フックと装飾部材の取り付け手段としてはこの実施例に示したようなねじ式のほか、ワンタッチ式など種々の手段を採用することができる。
【００３８】
また、装飾部材のハンガーへの取り付け方法においても上述のフック下端への取り付けのほか、上方に係止具を取り付けた装飾部材をハンガー首元から下方に向け垂下させたリングに係止させる方法や、ハンガー本体の首元付近に形成した孔に装飾部材の係止具を直接係止させる方法などが考えられる。
【産業上の利用可能性】
【００３９】
本願の考案は装飾性の高いハンガーに利用することができる。
【符号の説明】
【００４０】
３、７、１２、ハンガー
４、８、１５、ハンガー本体
５、９、１３、フック
６、１０、１４、１６、装飾部材
【図１】
0003174988.tif 000003
【図２】
0003174988.tif 000004
【図３】
0003174988.tif 000005
【図４】
0003174988.tif 000006
【図５】
0003174988.tif 000007
【手続補正書】
【提出日】平成24年2月13日(2012.2.13)
【手続補正１】
【補正対象書類名】実用新案登録請求の範囲
【補正対象項目名】全文
【補正方法】変更
【補正の内容】
【実用新案登録請求の範囲】
【請求項１】
ハンガーの首元周辺部に装飾部材を取り付けたことを特徴とするハンガー。
【請求項２】
装飾部材を着脱自在に取り付けたことを特徴とする請求項１記載のハンガー。
【請求項３】
装飾品係止部を有する装飾部材を取り付けたことを特徴とする請求項１又は２記載のハンガー。